(57)【要約】【課題】聴講者一人一人に高品質な音声を発信できる多機能なリスニング設備を任意の場所に簡単に準備することができるリスニング装置を提供する。【解決手段】底部に車輪２０を取り付けたボックス１０と、任意の音源を電気的に再生する音源再生装置と、ボックス１０の内部から当該ボックスの開口部１７を通じて外部に引き出し可能に収容された赤外線ラジエータ１２と、ボックスの内部に収容され、音源再生装置の出力信号を処理し、赤外線ラジエータ１２を駆動して、音源の内容に対応する赤外光を発射させるコントローラ１５と、ボックスの内部に設けられた収納部３１に、取り出し自在に収容された、コードレスレシーバ群とから構成されている。【選択図】        図４
2004312213.tif 000002
【特許請求の範囲】
【請求項１】
底部に車輪を取り付けたボックスと、
任意の音源を電気的に再生する音源再生装置と、
前記ボックスの内部から当該ボックスの開口部を通じて外部に引き出し可能に収容された赤外線ラジエータと、
前記ボックスの内部に収容され、前記音源再生装置の出力信号を処理し、前記赤外線ラジエータを駆動して、前記音源の内容に対応する赤外光を発射させるコントローラと、
前記ボックスの内部に設けられた収納部に、取り出し自在に収容された、コードレスレシーバ群とからなり、
前記コードレスレシーバ群は、それぞれ、前記赤外線ラジエータから発射される赤外光を受信して、前記音源の内容に対応する信号を復元する装置を備えた複数のレシーバからなることを特徴とするリスニング装置。
【請求項２】
底部に車輪を取り付けたボックスと、
任意の音源を電気的に再生する音源再生装置と、
前記ボックスの内部に収容された赤外線ラジエータと、
前記ボックスの内部に収容され、前記音源再生装置の出力信号を処理し、前記赤外線ラジエータを駆動して、前記音源の内容に対応する赤外光を発射させるコントローラと、
前記ボックスの内部に設けられた収納部に、取り出し自在に収容された、コードレスレシーバ群とからなり、
前記赤外線ラジエータは、前記ボックスの上部にヒンジで取付けられた上蓋の裏側に、前記上蓋を開けたとき、斜め上方の天井に向くように位置決めされて設置されたことを特徴とするリスニング装置。
【請求項３】
請求項１又は２記載のリスニング装置において、
前記ボックスの内部に設けられた前記収納部に、前記コードレスレシーバ群を吊下げる支持棒を横断させて配置したことを特徴とするリスニング装置。
【発明の詳細な説明】
【０００１】
【発明の属する技術分野】
本発明は、赤外線を発光する赤外線ＬＥＤ（赤外線発光ダイオード）を使用した赤外線ラジエータを用いたリスニング装置に関する。
【０００２】
【従来の技術】
従来の肉声やスピーカによる音声伝送方法では、アナログ音声信号の劣化、教室や会議場等のロケーションやリスニング環境による音量差、反響や騒音等の問題があり、リスナー間に格差が生じる問題がある。また、電波を用いたワイヤレスによる音声伝送方法では、トラック無線、雷等の外来電波により障害を受け易く、また隣の部屋や屋外への信号漏れ、混信等の問題がある。
【０００３】
このような問題を解消するものとして、赤外線を使用した赤外線音声伝送システム（ワイヤレスリスニングシステム）の通信装置があることは、従来から知られている。赤外線音声伝送システムによれば、外来電波による影響を受けないばかりでなく聴取位置による音質のばらつきが全くなく、騒音による影響も極めて低い等の利点がある。そして、このような通信装置において音声を赤外線に乗せて送信するのに使用される赤外線ラジエータの存在も従来から知られている（例えば、特許文献１参照）。
赤外線ラジエータは、限られた会場等で使用する赤外線方式の通信装置において、音声信号をクリアに伝える送信アンテナとして従来から知られている。この赤外線ラジエータは、複数個の赤外線発光素子（赤外線発光ＬＥＤ）がマトリックス状態に配置され、各赤外線発光素子の発光レベルが、音声信号によって変調された状態で駆動される構成である。
【０００４】
【特許文献１】
特開平９−１１６１９５号公報
【０００５】
【発明が解決しようとする課題】
ところで、上記のような従来の技術には次のような解決すべき課題があった。
学校や劇場あるいは講演会場等において、高品質で多機能なリスニング設備に対する要求が高まっている。例えば、赤外線通信を用いたリスニング環境を準備するのに多くの時間、経費がかかる。またリスニング設備を備えた教室等において、据え付けられたスピーカの位置や向きによって音が非常に聞こえにくい場所が生じることがある。さらに、窓や廊下に近い場所では、通路や外の道路からの騒音、あるいは、飛行機の爆音等様々な雑音によって、スピーカからの音の聞き取りを妨げる場合がある。また、目や耳の不自由な聴講者に対しては、既存のスピーカシステムでは十分な対応ができない場合が多い。
【０００６】
本発明は、上記の点に着目してなされたもので、聴講者一人一人に高品質な音声を発信できる多機能なリスニング設備を任意の場所に簡単に準備することができるリスニング装置を提供することを目的とする。
【０００７】
【課題を解決するための手段】
本発明は以上の点を解決するため次の構成を採用する。
【０００８】
〈構成１〉
底部に車輪を取り付けたボックスと、任意の音源を電気的に再生する音源再生装置と、上記ボックスの内部から当該ボックスの開口部を通じて外部に引き出し可能に収容された赤外線ラジエータと、上記ボックスの内部に収容され、上記音源再生装置の出力信号を処理し、上記赤外線ラジエータを駆動して、上記音源の内容に対応する赤外光を発射させるコントローラと、上記ボックスの内部に設けられた収納部に、取り出し自在に収容された、コードレスレシーバ群とからなり、上記コードレスレシーバ群は、それぞれ、上記赤外線ラジエータから発射される赤外光を受信して、上記音源の内容に対応する信号を復元する装置を備えた複数のレシーバからなることを特徴とするリスニング装置。
【０００９】
ボックスは、例えば、６面体をなし、底部にはキャスタのような車輪が取付られていて自由に移動可能とされる。車輪は、ボックスの移動を容易にする手段であって、形状や個数は任意である。これにより、例えば、ある教室でリスニング装置を使用し、その後、別の教室へ移動させて使用するといった用途に適する構造になる。また、このボックスには、聴講者に配布するための多数のコードレスレシーバを収容する収納部が設けられている。音源再生装置としては、例えばＣＤプレイヤーがあり、使用時にボックスの上に一時的に配置され、音源を電気的に再生する。赤外線ラジエータは、例えば、複数個の赤外線発光素子（赤外線発光ＬＥＤ）がマトリックス状態に配置されて構成されている。この赤外線ラジエータは、例えば、ボックスの内部から垂直方向に適当な高さまで引き出される構造になっており、移動中や使用しないときには、ボックスの内部に収容される。コードレスレシーバとしては、例えばヘッドフォン等の周知のコードレスレシーバが用いられる。コントローラには、例えば、ＣＤプレイヤー等の音源再生装置が接続されるオーディオ入力端子や赤外線ラジエータが接続される駆動信号出力端子が設けられている。
【００１０】
構成１の発明は、リスニング授業、試験、講演等を行う学校や会議室で、聴講者一人一人に、コードレスヘッドフォンのようなコードレスレシーバを配って装着させ、赤外線通信を用いたリスニング環境を提供するものである。すなわち、聴講者の人数等に応じて適宜増減できるし、全くＡＶ機器の設備の無い学校の教室や会議室でも、リスニングシステムを簡単に構築することができる。
赤外線ラジエータによって教室や会議室の内部に、赤外光を壁面等に反射させてくまなく送信する。このような環境で、ボックス内に多数用意されたコードレスレシーバを装着した聴講者は、この赤外光を受信して復元された音を聞くことができる。この場合に、コードレスレシーバが例えば、骨伝導式構造になっていれば、耳の不自由な聴講者に対し、クリアな音を提供することが可能になる。また、目の不自由な聴講者に対しては、画面の状態を詳細に伝える副音声を含んだ音を個別に提供することが可能になる。また、他の聴講者については、室内に配置されたスピーカから音声を得て、映画鑑賞等をすればよい。また、主音声と副音声とを、いわゆる周波数多重化送信し、レシーバ側でいずれかの音声を選択して受信するようにしても構わない。また、ボックスは、移動方式のため、蓋等にはカギをかけて移動する構造にするとよい。
【００１１】
〈構成２〉
底部に車輪を取り付けたボックスと、任意の音源を電気的に再生する音源再生装置と、上記ボックスの内部に収容された赤外線ラジエータと、上記ボックスの内部に収容され、上記音源再生装置の出力信号を処理し、上記赤外線ラジエータを駆動して、上記音源の内容に対応する赤外光を発射させるコントローラと、上記ボックスの内部に設けられた収納部に、取り出し自在に収容された、コードレスレシーバ群とからなり、上記赤外線ラジエータは、上記ボックスの上部にヒンジで取付けられた上蓋の裏側に、上記上蓋を開けたとき、斜め上方の天井に向くように位置決めされて設置されたことを特徴とするリスニング装置。
【００１２】
ボックスの上蓋を回転して開けると同時に、赤外線ラジエータが所定の方向に向くことから、迅速にリスニング環境を形成することができる。
【００１３】
〈構成３〉
構成１又は２記載のリスニング装置において、上記ボックスの内部に設けられた上記収納部に、上記コードレスレシーバ群を吊下げる支持棒を横断させて配置したことを特徴とするリスニング装置。
【００１４】
ボックスに設けられた収納部は、例えば、引き手が付いた引き出し式に構成されている。引き手をもって引き出すと、例えば、水平かつ平行に配置された２本の支持棒が現れる。これらの支持棒にそれぞれ多数のコードレスレシーバを吊下げて保管することができる。この収納部は、より多くのコードレスレシーバを収容するために上下に複数段に設けられてもよい。
【００１５】
【発明の実施の形態】
以下、本発明の実施の形態について具体例を用いて説明する。
【００１６】
図１〜５は本発明に係るリスニング装置の一実施例を示す図である。
これらの図において、本発明のリスニング装置はキャリングカータイプであり、ボックス１０の底部の４箇所にキャスタのような車輪２０が装着されている。ボックス１０内には巻き取り式の電源コード、電源コンセント、スイッチとが備えられている。さらに、音声信号を赤外線に変えて空間に送出し、これを受信し聴取しうる各種機材、すなわち、赤外光で発射する２つの赤外線ラジエータ１２、コントローラ１５、コードレスレシーバ群（図示せず）等がそれぞれ収容されている。
【００１７】
２つの赤外線ラジエータ１２はそれぞれボックス１０の内壁に取付けられた伸縮ロッド１３に支承されている。赤外線ラジエータ１２は、前面１２Ａ（図４）に複数個の赤外線発光素子（赤外線発光ＬＥＤ）がマトリックス状態に配置され、後面１２Ｂに冷却用フィンが配置されて構成されている。伸縮ロッド１３は、外径の異なる複数本のロッドを段階的かつ摺動可能に継合した構成である。ボックス１０上面の、赤外線ラジエータ１２の直上には、図２及び図４に示すように赤外線ラジエータ１２が通過できる大きさの開口部１７が設けられている。赤外線ラジエータ１２は開口部１７を通じて外部に引き出し可能とされている。このとき、伸縮ロッド１３は伸縮するが、赤外線ラジエータ１２を任意の高さで固定できる構造を備えている。
【００１８】
コントローラ１５は、ボックス１０の内部に収容固定され、ＣＤプレイヤー等の任意の音源を電気的に再生する音源再生装置の出力信号を処理し、赤外線ラジエータ１２を駆動して、音源の内容に対応する赤外光を発射させるものである。コントローラ１５に、音源再生装置が接続されるオーディオ入力端子や赤外線ラジエータ１２が通信線１１を介して接続される駆動信号出力端子が設けられている。音源再生装置としては、ＣＤプレイヤーの他に、例えば、ＤＶＤプレイヤー、テープレコーダ、ＭＤプレイヤー等がある。なお、これらは、ボックス１０の上に一時的に配置されてコントローラ１５に接続されるものであってもよい。
【００１９】
ボックス１０には３０〜５０個のヘッドフォン等のコードレスレシーバ（図示せず）を収容できる収納部３１が上下に三段に設けられている。これらの収納部３１は、引き手３３が付いた引き出し式に構成され、図５に示すように２本の支持棒３４が水平かつ平行に配設されている。これらの支持棒３４に多数のコードレスレシーバが取り出し自在になるように吊下げられて保管される。
コードレスレシーバ群は、それぞれ、赤外線ラジエータから発射される赤外光を受信して、音源の内容に対応する信号を復元する装置を備えている。なお、コードレスレシーバとしては、ヘッドフォンの他に、例えばイヤーフォンあるいはヘッドフォン以外のレシーバ（首から吊り下げるタイプ）等の周知のコードレスレシーバが用いられる。
【００２０】
上記したリスニング装置を使用する場合、ボックス１０の内部から赤外線ラジエータ１２を垂直方向に適当な高さまで引き出す。そして巻き取り式の電源コードからケーブルを引き出して外部のコンセントに接続をすると、このボックスの内部のコンセントに電源が供給される。また、コントローラにも電源が供給される。スイッチをオンすると、コントローラが起動する。コントローラ１５は、音源再生装置の出力信号を処理し、赤外線ラジエータ１２を駆動して、音源の内容に対応する赤外光を発射させるといった動作をする。
【００２１】
図６は、本発明の他の実施例及びその使用状況を示す説明図である。
この実施例は、赤外線ラジエータ１２の取付構造を除く構成、すなわち、ボックス１０内に、赤外線ラジエータ、コントローラ、コードレスレシーバ群等を収容する構成については図１〜５に示した上記実施例の構成とほぼ同じである。また、ボックス１０内のリスニング設備の動作も同じである。従って上記実施例と同一部分には同一符号を付して重複説明を省略する。
【００２２】
図６において、赤外線ラジエータ１２は、ボックス１０の上部にヒンジで取付けられた上蓋２２の裏側に装着されるが、上蓋２２を開けたとき、赤外線ラジエータ１２が反転してその正面が斜め上方の天井２９に向くように位置決めされて設置されている。
使用時に、ボックス１０の上蓋２２を開けたと同時に赤外線ラジエータ１２が斜め上方の天井２９に向いているため、直ぐにこの天井２９に向って赤外光が発射することができる。
教室や会議室で、ボックスの収納部３１からヘッドフォン等のコードレスレシーバ２８を取り出して各聴講者３０に配り、上蓋を開けて赤外線ラジエータ１２を上方に引き出し、電源スイッチをオンすると、準備が完了する。その後、コントローラに接続されたＣＤプレイヤー等の音源再生装置を起動すれば、ＣＤ等に録音された音が再生され、赤外光により教室や会議室内に発射され、コードレスレシーバ２８によって受信することが可能になる。
【００２３】
コードレスレシーバ２８を装着した聴講者３０は、赤外線ラジエータ１２から発射された赤外光を受信して再生された音を聞く。なお、ボックス１０の上にビデオプロジェクタを配置し、このビデオプロジェクタに画像信号を供給するＤＶＤプレイヤーを接続すると、液晶プロジェクタ２５によってスクリーン２６に画像を映し、コントローラ１５から赤外線ラジエータ１２を通じて、画像の音声を聴講者３０のヘッドフォン２８に送信することができる。この場合に、ヘッドフォン２８が例えば、骨伝導式構造になっていれば、耳の不自由な聴講者に対し、クリアな音を提供することが可能になる。
【００２４】
また、目の不自由な聴講者に対しては、画面の状態を詳細に伝える副音声を含んだ音を個別に提供することが可能になる。また他の聴講者については、場内に配置されたスピーカから音声を得て、映画鑑賞等をすればよい。また、主音声と副音声とを、いわゆる周波数多重化送信し、レシーバ側でいずれかの音声を選択して受信するようにしても構わない。また、移動方式のため、蓋等にはカギ１８をかけて移動する構造にするとよい。
【００２５】
【発明の効果】
上記したように本発明によれば、聴講者一人一人に高品質な音声を発信できる多機能なリスニング設備を任意の場所に簡単に準備することができるリスニング装置を得ることができる。
【図面の簡単な説明】
【図１】本発明に係るリスニング装置の一実施例を示す説明図である。
【図２】同実施例の外観を示す斜視図である。
【図３】同実施例の使用状況を示す説明図である。
【図４】同実施例の使用状況の外観を示す斜視図である。
【図５】同実施例の一部を示す斜視図である。
【図６】本発明の他の実施例及びその使用状況を示す説明図である。
【符号の説明】
１０  ボックス
１２  赤外線ラジエータ
１３  伸縮ロッド
１５  コントローラ
１７  開口部
２０  車輪
３１  収納部
３４  支持棒
【図１】
2004312213.tif 000003
【図２】
2004312213.tif 000004
【図３】
2004312213.tif 000005
【図４】
2004312213.tif 000006
【図５】
2004312213.tif 000007
【図６】
2004312213.tif 000008